(57)【要約】【課題】扉体を閉める際に扉体の先端が敷地側や道路側に大きく振れた場合でも、扉体の先端を所定の位置に誘導でき、扉体の先端をあらかじめ定められた位置に収容させることができる電動式の引戸門扉を提供する。【解決手段】戸当り支柱１０および扉体２０から構成される電動式の引戸門扉１であって、戸当り支柱１０には、扉体２０に向けて開口している、平面視で略Ｖ字状の戸当りガイド１２が設けられ、扉体２０の先端には、鉛直方向の回転軸を有するガイドローラーが上下方向に複数設けられている。このような構成であることで、扉体２０を閉める際に、扉体２０の先端が敷地側や道路側に大きく振れても、扉体の先端を所定の位置に誘導できる。【選択図】図１
2017166255.tif 000002
【特許請求の範囲】
【請求項１】
戸当り支柱および扉体から構成される電動式の引戸門扉であって、
前記戸当り支柱には、前記扉体に向けて開口している、平面視で略Ｖ字状の戸当りガイドが設けられ、
前記扉体の先端には、鉛直方向の回転軸を有するガイドローラーが上下方向に複数設けられている、
ことを特徴とする電動式の引戸門扉。
【請求項２】
前記ガイドローラーの少なくとも１つが、前記扉体の先端の上部に設けられている、
ことを特徴とする請求項１に記載の電動式の引戸門扉。
【発明の詳細な説明】
【技術分野】
【０００１】
本発明は、電動式の引戸門扉に関する。さらに詳しくは、扉体を閉める際に扉体の先端が敷地側や道路側に大きく振れた場合でも、扉体の先端を所定の位置に誘導でき、扉体の先端をあらかじめ定められた位置に収容させることができる電動式の引戸門扉に関する。
【背景技術】
【０００２】
住宅やマンション、公共施設等の敷地境界部に、部外者の侵入防止のために設けられる引戸門扉としては、例えば、特許文献１に開示されたものがある。この引戸門扉は、水平方向に張り出した下枠を備えた扉体と、戸当り支柱から構成され、扉体の先端には、扉体をあらかじめ定められた位置に誘導するためのガイド機構が備えられている。水平方向に張り出した下枠により、扉体が敷地側や道路側に振れるのを抑えることができ、また、ガイド機構により、扉体を所定の場所に収容させることができる。そしてこの引戸門扉は、手動で開閉される。
【０００３】
近年、引戸門扉の設置面積をできるだけ小さくすることが求められており、上記のような水平方向に張り出した下枠を備えた引戸門扉を採用することができない場合がある。また、扉体の開閉操作を電動で行うことが求められる場合もある。
【０００４】
下枠がない引戸門扉では、風などの影響により扉体が大きく敷地側や道路側に振れる場合がある。この場合、特許文献１に記載のガイド機構では、扉体の先端を所定の場所に収容させることができず、扉体が戸当り支柱に衝突し、扉体や戸当り支柱が傷ついたり変形したりするという問題がある。さらに、扉体の開閉操作を手動で行う場合は、扉体の振れを少なくするように操作することができるが、扉体の開閉操作を電動で行う場合は、扉体の振れを抑えることができない。そのため、扉体が戸当り支柱と衝突する機会が増え、扉体や戸当り支柱が傷ついたり変形したりすることが多くなるとともに、引戸門扉の電気系統が故障するなどの問題もある。
【先行技術文献】
【特許文献】
【０００５】
【特許文献１】特開２０１３−１１２９５１号公報
【発明の概要】
【発明が解決しようとする課題】
【０００６】
本発明は上記事情に鑑み、扉体を閉める際に扉体の先端が敷地側や道路側に大きく振れた場合でも、扉体の先端を所定の位置に誘導でき、扉体の先端をあらかじめ定められた位置に収容させることができる電動式の引戸門扉を提供することを目的とする。  
【課題を解決するための手段】
【０００７】
第１発明の電動式の引戸門扉は、戸当り支柱および扉体から構成される電動式の引戸門扉であって、前記戸当り支柱には、前記扉体に向けて開口している、平面視で略Ｖ字状の戸当りガイドが設けられ、前記扉体の先端には、鉛直方向の回転軸を有するガイドローラーが上下方向に複数設けられていることを特徴とする。
第２発明の電動式の引戸門扉は、第１発明において、前記ガイドローラーの少なくとも１つが、前記扉体の先端の上部に設けられていることを特徴とする。
【発明の効果】
【０００８】
第１発明によれば、戸当り支柱に、扉体に向けて開口している、平面視で略Ｖ字状の戸当りガイドが設けられていることにより、扉体を閉める際に、扉体の先端が敷地側や道路側に振れても、扉体の先端を所定の位置に誘導でき、扉体の先端をあらかじめ定められた位置に収容させることができる。また、扉体の先端には、鉛直方向の回転軸を有するガイドローラーが上下方向に複数設けられていることにより、扉体と戸当り支柱との接触時の衝撃を緩和することができる。
第２発明によれば、ガイドローラーの少なくとも１つが、扉体の先端の上部に設けられていることにより、地上から最も遠い部分で扉をガイドできるとともに、扉体の先端の上部が戸当り支柱と直接接触しないため、扉体の変形を防止することができる。
【図面の簡単な説明】
【０００９】
【図１】本発明の実施形態に係る電動式の引戸門扉の部分拡大平面図である。
【図２】本発明の実施形態に係る電動式の引戸門扉の三面図である。
【図３】図１の電動式の引戸門扉に用いられているガイドローラーの正面図である。
【図４】図１の電動式の引戸門扉の動作説明図である。
【発明を実施するための形態】
【００１０】
つぎに、本発明の実施形態を図面に基づき説明する。図２には本発明の実施形態にかかる電動式の引戸門扉１の三面図を示す。図２（Ａ）は、電動式の引戸門扉１の平面図、図２（Ｂ）は正面図、図２（Ｃ）は右側面図である。なお、本明細書では、図２（Ｂ）にある電動式の引戸門扉１に向かって、手前を前側、奥を後側とし、上下左右を、そのまま上下左右と称する。
【００１１】
本実施形態に係る電動式の引戸門扉１は、扉体２０と、この扉体２０の先端が当接する戸当り支柱１０と、から構成されている。図２（Ａ）に示すように、扉体２０の後側が敷地側であり、前側が道路側である。扉体２０を右方向に移動させることで塀３２の間口が開かれ、扉体２０が開かれた状態となる。扉体２０を左方向に移動させ、戸当り支柱１０に当接することで、塀３２の間口が塞がれ、扉体２０が閉じた状態となる。なお、塀３２は、図２（Ａ）のみに描かれており、図２（Ｂ）、（Ｃ）には、記載されていない。
【００１２】
扉体２０は、平板状の扉体本体２１の下端に、車輪枠２６が２つ設けられており、車輪枠２６に軸支されている車輪により、レール１３に沿って左右に移動する。扉体本体２１は、高さ１．２〜１．５ｍ、前後幅４０ｍｍで、左右長さは、４〜８ｍである。扉体本体２１の形態は、例えば上下端部にある２本の横枠と、左右端部にある２本の縦枠とを連結し、この２本の縦枠の間に複数の縦格子を連続的に並べたものが挙げられる。横枠、縦枠、縦格子は、アルミニウムの押出形材である。このような構成とすることで、扉体２０の全体重量を軽減することができる。なお、扉体本体２１は特にこのような形態に限定されない。
【００１３】
戸当り支柱１０は、図２（Ａ）、（Ｂ）に示すように、四角柱のアルミニウムの押出形材からなる支柱本体１１と、扉体２０をあらかじめ定められた位置に収容するための戸当りガイド１２から構成されている。支柱本体１１は、コンクリート基礎（不図示）とともに３００〜４００ｍｍ程度地中内に埋められ固定されている。
【００１４】
レール１３は、等辺山形鋼であり、山形の頂点の一部が地上から露出するように地中に埋設されている。このレール１３の上を、ガイド車輪が走行することで、扉体２０は、大きな力を加えなくても左右に移動させることができる。
【００１５】
電動式の引戸門扉１は、扉体２０を電気で動作させるための電動動作機構が設けられている。本実施形態では、電動動作機構は、電源３３からの電源を受ける制御基板と、この制御基板と電気的に接続されているモータと、このモータからの動力を扉体２０に伝動するチェーン２９（図１に表示）と、から構成されている。そして、制御基板とモータは、制御ボックス３１内に収容され、チェーン２９は、チェーンラック２８内に収容されている。
【００１６】
電動式の引戸門扉１は、リモコンや押しボタン等で離れたところから操作することができる。制御基板に電気的に接続されたアンテナ３０が、電動式の引戸門扉１の近傍に設けられており、リモコン等で扉体２０を開くための開信号、または閉めるための閉信号を発信することで、その信号をアンテナ３０が受け、扉体２０を開閉させることができる。
【００１７】
図１には、本発明の実施形態に係る電動式の引戸門扉１の、戸当り支柱１０周辺の部分拡大平面図を、図３には、扉体２０の先端に設けられたガイドローラー１５の正面図を示す。図１に示すように、戸当り支柱１０に設けられている戸当りガイド１２は、平面視で略Ｖ字状であり、「Ｖ」の字の基部が、支柱本体１１にネジで連結され、「Ｖ」の字が扉体２０に向けて開口している。戸当りガイド１２は、アルミニウムの押出形材であり、接触面１２ａと収容部１２ｂから構成されている。扉体２０に設けられているガイドローラー１５が接触面１２ａに接触し、収容部１２ｂにガイドローラー１５が収容されることで、扉体２０の閉動作は完了する。なお戸当りガイド１２の上下長さは、支柱本体１１の、地上に出ている部分と同程度の長さであり、具体的には、１．３〜１．６ｍである。
【００１８】
接触面１２ａは、平面視で、扉体２０の開閉方向である左右方向に対して、あらかじめ定められた傾斜角θを有する。この「傾斜角θを有する」状態について詳しく説明する。まず、扉体２０と接触面１２ａとの距離は、図１の紙面上、通常の「直線」と「点」との距離として表される。すなわち「点」から「直線」に下した垂線の長さが、「直線」と「点」との距離となる。図１では、「直線」が、扉体２０の前後中心面（図１の紙面上、扉体２０の上下中心線を含む面）となり、「点」が接触面１２ａ上の任意の点となり、接触面１２ａ上の任意の点における扉体２０との距離は、図１のｐで表される。このように「傾斜角θを有する」状態である場合は、扉体２０が戸当り支柱１０に近づくにしたがい、ｐが小さくなる。
【００１９】
戸当り支柱１０に、扉体２０に向けて開口している、平面視で略Ｖ字状の戸当りガイド１２が設けられていることにより、扉体２０を閉める際に、扉体２０の先端が敷地側や道路側に振れても、扉体２０の先端を所定の位置に誘導でき、扉体の先端をあらかじめ定められた位置に収容させることができる。また、扉体２０の先端には、鉛直方向の回転軸２３を有するガイドローラー１５が上下方向に複数設けられていることにより、扉体２０と戸当り支柱１０との接触時の衝撃を緩和することができる。
【００２０】
図１に示すように、扉体２０の、戸当り支柱１０に向けた先端にはガイドローラー１５が設けられている。図３に示すように、ガイドローラー１５は、ローラー２２、回転軸２３およびローラー取付金具２４から構成されている。このローラー２２は、ＵＨＭＷＰＥ（超高分子量ポリエチレン）等の樹脂製であり、鉛直方向の回転軸２３を中心に、水平方向に回転できるように保持されている。回転軸２３は、扉体本体２１に連結されているローラー取付金具２４に固定されている。ローラー２２は円筒形状であり、水平断面の円の直径は、扉体本体２１の前後幅より数ｍｍ小さく、具体的には３３ｍｍである。また、ローラー２２の高さｈは５０ｍｍである。
【００２１】
ガイドローラー１５は、扉体２０の先端に、上下方向に複数設けられている。本実施形態において、ガイドローラー１５は、扉体２０の先端の上部および上下方向中央部にそれぞれ固定されている。ガイドローラー１５の配置は、上記に限定されるものではないが、ガイドローラー１５の少なくとも１つが、扉体２０の先端の上部に配置されることが好ましい。これにより地上から最も遠い部分で扉体２０をガイドできるとともに、扉体２０の先端の上部が直接戸当りガイド１２と接触しないため、扉体２０の変形を防止することができる。
さらに、ガイドローラー１５が扉体２０の先端の上部および上下方向中央部に配置されることにより、扉体２０の先端の上部でガイドできないほど振れた場合でも、上下方向中央部に配置されたガイドローラー１５で扉体２０をガイドすることができる。
【００２２】
図４により、電動式の引戸門扉１の閉動作を説明する。図４（Ａ）は、扉体２０が後側に大きく振れた状態で、戸当り支柱１０の戸当りガイド１２に接触した状態を示した平面視の部分拡大図であり、図４（Ｂ）は、扉体２０のガイドローラー１５が、戸当りガイド１２の収容部１２ｂに収まり、閉動作が完了した状態を示した平面視の部分拡大図である。
【００２３】
リモコン等で閉信号を発信することにより、扉体２０が、戸当り支柱１０から離れた位置から、戸当り支柱１０に近づくように移動する。この際、図２に示すように、扉体２０を支えている吊元支柱が、戸当り支柱１０から離れた位置にあるため、電動式の引戸門扉１の前から後に向けて風が吹いた場合、扉体２０は、地上にあるレール１３を中心として、後側に大きく振れる。すなわち、図４（Ａ）のように、戸当りガイド１２の収容部１２ｂから後方向にある状態で、ガイドローラー１５が戸当りガイド１２の先端の接触面１２ａに接触する。
【００２４】
ここで、接触面１２ａが、図４（Ａ）に示すように、扉体２０をあらかじめ定められた位置に誘導する角度を有していることから、電動動作機構により扉体２０に戸当り支柱１０に向けて力が加えられると、この接触面１２ａに誘導されて、扉体２０は、戸当り支柱１０に向けて近づきながら、戸当りガイド１２の前後中心に近づくように矢印ｙの方向に移動する。
【００２５】
このとき、ガイドローラー１５が、扉体２０の先端に設けられていることにより、接触面１２ａに沿う動作がスムーズに行われる。そして、扉体２０のガイドローラー１５が、戸当りガイド１２の収容部１２ｂに収まることで、扉体２０が閉じられる。
【００２６】
扉体２０の先端に、鉛直方向の回転軸２３を有するガイドローラー１５が上下方向に複数設けられていることにより、戸当りガイド１２の接触面１２ａに沿って扉体２０の先端がスムーズに動作することになり、扉体２０と戸当り支柱１０との接触時の衝撃が緩和できる。
【００２７】
本実施形態において、戸当りガイド１２は、支柱本体１１と別部材としたが、特にこれに限定されない。例えば、支柱本体１１と一体形成されたものであってもよい。
【００２８】
また、本実施形態は、地上にあるレール１３によりガイドされる構成であったが、特にこれに限定されず、例えばレール１３がないノンレールタイプの電動式の引戸門扉にも適応可能である。
【符号の説明】
【００２９】
１  電動式の引戸門扉
１０  戸当り支柱
１２  戸当りガイド
１５  ガイドローラー
２０  扉体
２３  回転軸
【図１】
2017166255.tif 000003
【図２】
2017166255.tif 000004
【図３】
2017166255.tif 000005
【図４】
2017166255.tif 000006